(57)【要約】【課題】本発明は、Ｌ型コーナーコネクターが筐体を固定する効果を向上させることができる太陽エネルギーモジュールのフレームを提供する。【解決手段】太陽エネルギーモジュールのフレームは、４つの棒状の筐体２００，３００と、４つのＬ型コーナーコネクター１００と、を備える。Ｌ型コーナーコネクター１００は、支持体１１０と、支持体１１０の異なる面に設けられる２つの組立アーム１２０，１３０と、を含む。２つの組立アーム（第１組立アーム１２０と第２組立アーム１３０）は、第１リベット穴１２３及び第２リベット穴１３３を有する。第１筐体２００は、第１リベット穴１２３内に一部凹む第１内板２１０と、第１組立アーム１２０が挿設される第１係合溝２３０を有する。第２筐体３００は、第２リベット穴１３３内に一部凹む第２内板３１０と、第２組立アーム１３０が挿設される第２係合溝３３０を有する。【選択図】図２
2014236216.tif 000002
【特許請求の範囲】
【請求項１】
支持体と、第１組立アームと、第２組立アームと、を含み、前記第１組立アームと前記第２組立アームは、それぞれ前記支持体の異なる面に設けられ、それぞれ少なくとも１つの第１リベット穴及び少なくとも１つの第２リベット穴を有する少なくとも１つのＬ型コーナーコネクターと、
第１外板及び第１内板を有する少なくとも１つの第１筐体と、
第２外板及び第２内板を有する少なくとも１つの第２筐体と、を備え、
前記第１外板と前記第１内板は、互いに仕切られて、前記第１外板と前記第１内板との間に第１係合溝を定義し、前記第１組立アームは、前記第１係合溝に挿設され、前記第１内板の一部は、前記第１リベット穴内に凹み、
前記第２外板と前記第２内板は、互いに仕切られて、前記第２外板と前記第２内板との間に第２係合溝を定義し、前記第２組立アームは、前記第２係合溝に挿設され、前記第２内板の一部は、前記第２リベット穴内に凹む太陽エネルギーモジュールのフレーム。
【請求項２】
前記第１リベット穴は、実質的に５ｍｍ≦Ｄ１≦２５ｍｍを満たす第１口径Ｄ１を有し、
前記第２リベット穴は、実質的に５ｍｍ≦Ｄ２≦２５ｍｍを満たす第２口径Ｄ２を有する請求項１に記載の太陽エネルギーモジュールのフレーム。
【請求項３】
前記第１組立アームは、第１内表面を有し、前記第１リベット穴は、前記第１内表面に設けられ、前記第１内表面の法線方向に実質的に平行な方向において、実質的に１．５ｍｍ≦Ｔ１≦７ｍｍを満たす第１穴深さＴ１を定義し、
前記第２組立アームは、第２内表面を有し、前記第２リベット穴は、前記第２内表面に設けられ、前記第２内表面の法線方向に実質的に平行な方向において、実質的に１．５ｍｍ≦Ｔ２≦７ｍｍを満たす第２穴深さＴ２を定義する請求項１に記載の太陽エネルギーモジュールのフレーム。
【請求項４】
前記第１組立アームは、第１内表面及び前記第１内表面と相対する第１外表面を有し、前記第１リベット穴は、前記第１内表面及び前記第１外表面を貫通し、
前記第２組立アームは、第２内表面及び前記第２内表面と相対する第２外表面を有し、前記第２リベット穴は、前記第２内表面及び前記第２外表面を貫通する請求項１に記載の太陽エネルギーモジュールのフレーム。
【請求項５】
前記第１内板に設けられる複数の第１強化リブと、
前記第２内板に設けられる複数の第２強化リブと、を更に備え、
前記第１組立アームは、複数の第１ガイドレールを有し、前記第１強化リブは、前記第１ガイドレールに挿設され、
前記第２組立アームは、複数の第２ガイドレールを有し、前記第２強化リブは、前記第２ガイドレールに挿設される請求項１に記載の太陽エネルギーモジュールのフレーム。
【請求項６】
前記第１組立アームに位置し、前記第１内板に当接する複数の第１歯状構造と、
前記第２組立アームに位置し、前記第２内板に当接する複数の第２歯状構造と、
を更に備える請求項１に記載の太陽エネルギーモジュールのフレーム。
【請求項７】
前記支持体に設けられる主体収納部を更に備え、
前記第１筐体及び前記第２筐体は、それぞれ第１挟み込み溝及び第２挟み込み溝を有し、且つ前記主体収納部は、収納溝を有し、前記収納溝は、前記第１挟み込み溝及び前記第２挟み込み溝とつながっている請求項１に記載の太陽エネルギーモジュールのフレーム。
【請求項８】
前記主体収納部は、弧状をなす外周コーナーを有する請求項７に記載の太陽エネルギーモジュールのフレーム。
【請求項９】
前記第１組立アームは、前記第１組立アームの先端に位置する第１嵌め込みガイド構造及び第２嵌め込みガイド構造を有し、
前記第２組立アームは、前記第２組立アームの先端に位置する第３嵌め込みガイド構造及び第４嵌め込みガイド構造を有し、
前記第１嵌め込みガイド構造、前記第２嵌め込みガイド構造、前記第３嵌め込みガイド構造及び前記第４嵌め込みガイド構造は、リード角状である請求項１に記載の太陽エネルギーモジュールのフレーム。
【発明の詳細な説明】
【技術分野】
【０００１】
本発明は、太陽エネルギーモジュールのフレーム構造に関し、特に、太陽エネルギーモジュールのフレームの接合強度の改良に関する。
【背景技術】
【０００２】
石油の在庫量が年々少なくなり、エネルギー危機が、最近、全世界から共通の関心を集める焦点となっており、代替エネルギーの開発は、もう一刻も猶予できない。数多くの代替エネルギーにおいて、太陽エネルギーは、ほとんど尽きることがないという優位性を有するため、ずっと最も注目されている。
【０００３】
現在、太陽エネルギーを収集する方法としては、一般的に太陽エネルギーモジュール（ｐｈｏｔｏｖｏｌｔａｉｃ  ｐａｎｅｌ）によって変換を行う収集方法が挙げられる。太陽エネルギーモジュールを保護し固定するために、メーカーは、一般的にフレームによってソーラーパネルを囲む。一般的な太陽エネルギーモジュールのフレームは、４つの棒状の筐体と、４つのＬ型コーナーコネクターと、を備え、これらの筐体は、ソーラーパネルに順に隣接して矩形のフレームを構成する。Ｌ型コーナーコネクターは、その両端の組立アームが、それぞれ隣接する２つの筐体の係合溝に差し込まれることで、これらの筐体を固定する。
【発明の概要】
【発明が解決しようとする課題】
【０００４】
しかしながら、Ｌ型コーナーコネクターは、筐体の表面のみに接触するため、静止摩擦力でしか筐体の移動を防止することができない。モジュールを運搬したり、システムを取り付ける時には、大きい引張力が生じやすいため、隣接する２つの筐体が受ける引張力がこの静止摩擦力より大きい場合に、筐体が移動する。従って、既存のＬ型コーナーコネクターは、筐体を効果的に固定することができない。
【０００５】
これに鑑みて、本発明の一目的は、Ｌ型コーナーコネクターが筐体を固定する効果を向上させることができる太陽エネルギーモジュールのフレームを提供することにある。
【課題を解決するための手段】
【０００６】
本発明の一実施形態によると、太陽エネルギーモジュールのフレームは、少なくとも１つのＬ型コーナーコネクターと、少なくとも１つの第１筐体と、少なくとも１つの第２筐体と、を備える。Ｌ型コーナーコネクターは、支持体と、第１組立アームと、第２組立アームと、を含む。第１組立アームと第２組立アームは、それぞれ支持体の異なる面に設けられる。第１組立アームは、少なくとも１つの第１リベット穴を有し、第２組立アームは、少なくとも１つの第２リベット穴を有する。第１筐体は、第１外板及び第１内板を有する。第１外板と第１内板は、互いに仕切られて、第１外板と第１内板との間に第１係合溝を定義する。第１組立アームは、第１係合溝に挿設される。第１内板の一部は、第１リベット穴内に凹む。第２筐体は、第２外板及び第２内板を有する。第２外板と第２内板は、互いに仕切られて、第２外板と第２内板との間に第２係合溝を定義する。第２組立アームは、第２係合溝に挿設される。第２内板の一部は、第２リベット穴内に凹む。
【０００７】
本発明の１つ又は複数の実施形態において、第１リベット穴は、実質的に５ｍｍ≦Ｄ１≦２５ｍｍを満たす第１口径Ｄ１を有する。第２リベット穴は、実質的に５ｍｍ≦Ｄ２≦２５ｍｍを満たす第２口径Ｄ２を有する。
【０００８】
本発明の１つ又は複数の実施形態において、第１組立アームは、第１内表面を有する。第１リベット穴は、第１内表面に設けられる。第１リベット穴は、第１内表面の法線方向に実質的に平行な方向において、実質的に１．５ｍｍ≦Ｔ１≦７ｍｍを満たす第１穴深さＴ１を定義する。第２組立アームは、第２内表面を有する。第２リベット穴は、第２内表面に設けられる。第２リベット穴は、第２内表面の法線方向に実質的に平行な方向において、実質的に１．５ｍｍ≦Ｔ２≦７ｍｍを満たす第２穴深さＴ２を定義する。
【０００９】
本発明の１つ又は複数の実施形態において、第１組立アームは、第１内表面及び第１内表面と相対する第１外表面を有する。第１リベット穴は、第１内表面及び第１外表面を貫通する。第２組立アームは、第２内表面及び第２内表面と相対する第２外表面を有する。第２リベット穴は、第２内表面及び第２外表面を貫通する。
【００１０】
本発明の１つ又は複数の実施形態において、太陽エネルギーモジュールのフレームは、複数の第１強化リブと、複数の第２強化リブと、を更に備える。第１強化リブは、第１内板に設けられる。第１組立アームは、複数の第１ガイドレールを有する。第１強化リブは、第１ガイドレールに挿設される。第２強化リブは、第２内板に設けられる。第２組立アームは、複数の第２ガイドレールを有する。第２強化リブは、第２ガイドレールに挿設される。
【００１１】
本発明の１つ又は複数の実施形態において、太陽エネルギーモジュールのフレームは、複数の第１歯状構造と、複数の第２歯状構造と、を更に備える。第１歯状構造は、第１組立アームに位置し、第１内板に当接する。第２歯状構造は、第２組立アームに位置し、第２内板に当接する。
【００１２】
本発明の１つ又は複数の実施形態において、太陽エネルギーモジュールのフレームは、支持体に設けられる主体収納部を更に備える。第１筐体は、第１挟み込み溝を有し、第２筐体は、第２挟み込み溝を有する。主体収納部は、収納溝を有する。収納溝は、第１挟み込み溝及び第２挟み込み溝とつながっている。
【００１３】
本発明の１つ又は複数の実施形態において、主体収納部は、弧状をなす外周コーナーを有する。
【００１４】
本発明の１つ又は複数の実施形態において、第１組立アームは、第１嵌め込みガイド構造と第２嵌め込みガイド構造を有する。第２組立アームは、第３嵌め込みガイド構造と第４嵌め込みガイド構造を有する。ガイド構造は、組立アームの先端に設けられ、リード角状である。
【発明の効果】
【００１５】
本発明の太陽エネルギーモジュールのフレームにおいて、Ｌ型コーナーコネクターの第１組立アームは、第１リベット穴を有し、第２組立アームは、第２リベット穴を有する。そのため、Ｌ型コーナーコネクターが４つの嵌め込みガイド構造によって第１組立アームと第２組立アームを、第１係合溝及び第２係合溝に滑り込ませて、結合させる場合に、リベッタによって第１内板及び第２内板を圧迫して、第１内板と第２内板をそれぞれ第１リベット穴内及び第２リベット穴内に凹ませて、内板の変形で組立アームをつかんで、Ｌ型コーナーコネクターが筐体を固定する効果を向上させることができる。
【図面の簡単な説明】
【００１６】
【図１】本発明の一実施形態による太陽エネルギーモジュールのフレームを示す斜視図である。
【図２】図１に示した太陽エネルギーモジュールのフレームを示す分解図である。
【図３】Ａ−Ａ’線に沿う図１に示した太陽エネルギーモジュールのフレームを示す断面図である。
【図４】本発明の第１実施形態によるＬ型コーナーコネクターを示す斜視図である。
【図５】Ｃ−Ｃ’線に沿う図４に示したＬ型コーナーコネクターを示す断面図である。
【図６】本発明の第２実施形態によるＬ型コーナーコネクターを示す断面図である。
【図７】本発明の第３実施形態によるＬ型コーナーコネクターを示す斜視図である。
【図８】本発明の第４実施形態によるＬ型コーナーコネクターを示す斜視図である。
【発明を実施するための形態】
【００１７】
以下、図面によって本発明の複数の実施形態を開示し、明らかにするために、数多くの実務上の細部を以下の記述において一括して説明する。しかしながら、当業者であれば、本発明の一部の実施形態において、これらの実務上の細部は、必要ではなく、本発明を制限するためのものではないことを理解すべきである。また、図面を簡素化するために、一部の従来慣用の構造及び素子は模式的に示している。
【００１８】
第１実施形態
図１は、本発明の一実施形態による太陽エネルギーモジュールのフレームを示す斜視図である。図２は、図１に示した太陽エネルギーモジュールのフレームを示す分解図である。図１及び図２に示すように、本実施形態において、太陽エネルギーモジュールのフレームは、Ｌ型コーナーコネクター１００と、第１筐体２００と、第２筐体３００と、を備える。Ｌ型コーナーコネクター１００は、第１筐体２００と第２筐体３００との間に接続される。更には、図２に示すように、Ｌ型コーナーコネクター１００は、支持体１１０と、第１組立アーム１２０と、第２組立アーム１３０と、を含む。第１組立アーム１２０及び第２組立アーム１３０は、支持体１１０の異なる面に設けられる。第１筐体２００は、第１内板２１０と、第１外板２２０と、を含む。第１内板２１０と第１外板２２０は、互いに仕切られて、第１内板２１０と第１外板２２０との間に第１係合溝２３０を定義する。第１組立アーム１２０は、第１係合溝２３０に差し込まれることができる。類似的に、第２筐体３００は、第２内板３１０と、第２外板３２０と、を含む。第２内板３１０と第２外板３２０は、互いに仕切られて、第２内板３１０と第２外板３２０との間に第２係合溝３３０を定義する。第２組立アーム１３０は、第２係合溝３３０に差し込まれることができる。
【００１９】
図３は、Ａ−Ａ’線に沿う図１に示した太陽エネルギーモジュールのフレームを示す断面図である。図３に示すように、第１組立アーム１２０は、第１リベット穴１２３を有する。第１内板２１０の一部は、第１リベット穴１２３内に凹んで、第１リベット穴１２３に係合されることができる。類似的に、第２組立アーム１３０は、第２リベット穴１３３を有する。第２内板２１０の一部は、第２リベット穴１３３内に凹んで、第２リベット穴１３３に係合されることができる。このように、Ｌ型コーナーコネクター１００は、それぞれ第１リベット穴１２３によって第１内板２１０を係合させ、第２リベット穴１３３によって第２内板３１０を係合させることができる。
【００２０】
更には、メーカーは、リベッタ４００を操作して、矢印Ｂの方向に沿って移動させて、リベッタ４００の第１リベット４１０を第１内板２１０の第１部分板体２１１ａに接触させ、リベッタ４００の第２リベット４２０を第２内板３１０の第２部分板体３１１ａに接触させることができる。リベッタ４００が続けて矢印Ｂの方向に沿って移動する場合、第１リベット４１０は、第１内板２１０の第１部分板体２１１ａを圧迫して、第１部分板体２１１ａを第１リベット穴１２３内に凹ませて、曲がった第１部分板体２１１ｂを形成する。類似的に、第２リベット４２０は、第２内板３１０の第２部分板体３１１ａを圧迫して、第２部分板体３１１ａを第２リベット穴１３３内に凹ませて、曲がった第２部分板体３１１ｂを形成する。
【００２１】
このように、第１リベット穴１２３は、第１リベット穴１２３の内に曲がった第１部分板体２１１ｂと係合し、第２リベット穴１３３は、第２リベット穴１３３の内に曲がった第２部分板体３１１ｂと係合することができるため、固定の効果を向上させることができる。
【００２２】
図４は、本発明の第１実施形態によるＬ型コーナーコネクター１００を示す斜視図である。図５は、Ｃ−Ｃ’線に沿う図４に示したＬ型コーナーコネクター１００を示す断面図である。本実施形態において、図４及び図５に示すように、支持体１１０は、第１接続面１１１及び第２接続面１１２を有する。第１接続面１１１は、第２接続面１１２に隣接する。実施形態の一部において、第１接続面１１１と第２接続面１１２は、実質的に互いに垂直であってよい。第１組立アーム１２０は、第１接続面１１１に設けられ、第２組立アーム１３０は、第２接続面１１２に設けられる。
【００２３】
図２と図４を同時に参照する。第１組立アーム１２０が第１係合溝２３０に差し込まれる場合、第１接続面１１１は、第１筐体２００の端部に当接することができる。類似的に、第２組立アーム１３０が第２係合溝３３０に差し込まれる場合、第２接続面１１２は、第２筐体３００の端部に当接することができる。つまり、第１筐体２００の端部と第２筐体３００の端部は、互いに触れ、又は押すことなく、それぞれ第１接続面１１１及び第２接続面１１２に当接する。
【００２４】
本実施形態において、図４に示すように、第１組立アーム１２０は、第１内表面１２１及び第１外表面１２２を有する。第１外表面１２２は、第１内表面１２１と相対する。第１リベット穴１２３は、第１内表面１２１に凹設される。類似的に、第２組立アーム１３０は、第２内表面１３１及び第２外表面１３２を有する。第２外表面１３２は、第２内表面１３１と相対する。第２リベット穴１３３は、第２内表面１３１に凹設される。
【００２５】
第１内表面１２１及び第２内表面１３１が対向する。つまり、図５に示すように、第１内表面１２１の法線方向Ｎ１と第２内表面１３１の法線方向Ｎ２は、空間Ｓで交差する。これにより、空間Ｓにおいて移動するリベッタ４００（図３を参照）が同時に第１内板２１０と第２内板３１０（図３を参照）を、第１内表面１２１及び第２内表面１３１に圧迫することを可能にすることに寄与する。
【００２６】
図２に示すように、実施形態の一部において、第１筐体２００及び第２筐体３００は、アルミ押出成形の構造であってもよい。しかしながら、アルミニウムは材質が柔らかいため、第１部分板体２１１ａ及び第２部分板体３１１ａ（図３を参照）は、リベッタ４００による圧迫力を受ける場合に、これらの部分板体のうち、リベッタ４００に接触する表面のみが変形し、第１リベット穴１２３及び第２リベット穴１３３のすぐ隣にある表面が変形しない可能性があり、従って、第１リベット穴１２３内及び第２リベット穴１３３内に凹みにくい。そこで、本発明の実施形態は、第１部分板体２１１ａ及び第２部分板体３１１ａを第１リベット穴１２３内及び第２リベット穴１３３内にスムーズに凹ませ係合させることを可能にするために、第１リベット穴１２３及び第２リベット穴１３３の好ましい口径を提供する。
【００２７】
図５に示すように、第１リベット穴１２３は、第１口径Ｄ１を有する。第１口径Ｄ１は、実質的に５ｍｍ≦Ｄ１≦２５ｍｍを満たす。類似的に、第２リベット穴１３３は、第２口径Ｄ２を有する。第２口径Ｄ２も、実質的に５ｍｍ≦Ｄ２≦２５ｍｍを満たす。上記寸法範囲での第１リベット穴１２３及び第２リベット穴１３３は、効果的に第１部分板体２１１ａ及び第２部分板体３１１ａ（図３を参照）をスムーズに凹ませて、係合させることを可能にする。
【００２８】
理解すべきなのは、本明細書の全文に記載の「実質」又は「実質的に」は、誤差範囲が１５％より小さいものや、１０％より小さいものや、５％より小さいものを含む。例としては、「第１口径Ｄ１は、実質的に５ｍｍ≦Ｄ１≦２５ｍｍを満たす」とは、５×８５％≦Ｄ１≦２５×１１５％の範囲を包括してもよく、より好ましくは、５×９０％≦Ｄ１≦２５×１１０％の範囲を包括し、更に好ましくは、５×９５％≦Ｄ１≦２５×１０５％の範囲を包括する。
【００２９】
本実施形態において、図５に示すように、第１リベット穴１２３は、第１内表面１２１の法線方向Ｎ１に実質的に平行な方向において第１穴深さＴ１を定義する。第１穴深さＴ１は、実質的に１．５ｍｍ≦Ｔ１≦７ｍｍを満たす。第２リベット穴１３３は、第２内表面１３１の法線方向Ｎ２に実質的に平行な方向において第２穴深さＴ２を定義する。第２穴深さＴ２は、実質的に１．５ｍｍ≦Ｔ２≦７ｍｍを満たす。好ましくは、第１穴深さＴ１は実質的に３ｍｍ≦Ｔ１≦６ｍｍを満たし、第２穴深さＴ２は実質的に３ｍｍ≦Ｔ２≦６ｍｍを満たす。
【００３０】
本実施形態において、図４に示すように、第１組立アーム１２０及び第２組立アーム１３０は、それぞれ複数の第１ガイドレール１２４及び複数の第２ガイドレール１３４を有する。また図２を参照する。第１筐体２００及び第２筐体３００は、それぞれ複数の第１強化リブ２７０及び複数の第２強化リブ３７０を有する。第１強化リブ２７０は、第１内板２１０に凸設され、第１係合溝２３０から露出する。類似的に、第２強化リブ３７０は、第２内板３１０に凸設され、第２係合溝３３０から露出する。図２と図４を同時に参照する。第１組立アーム１２０が第１係合溝２３０に挿設され、且つ第２組立アーム１３０が第２係合溝３３０に挿設される場合、第１強化リブ２７０は、第１ガイドレール１２４に挿設されることができ、第２強化リブ３７０は、第２ガイドレール１３４に挿設されることができる。このように、第１強化リブ２７０及び第２強化リブ３７０は、第１組立アーム１２０と第２組立アーム１３０の内表面により磨損されにくい。また、第１ガイドレール１２４及び第２ガイドレール１３４は、第１強化リブ２７０及び第２強化リブ３７０と、互いに位置付けることもできる。
【００３１】
実施形態の一部において、図４に示すように、各第１ガイドレール１２４の長さ方向は、実質的に第１接続面１１１と垂直である。類似的に、各第２ガイドレール１３４の長さ方向は、実質的に第２接続面１１２と垂直である。また、第１強化リブ２７０及び第２強化リブ３７０（図２を参照）は、それぞれ第１ガイドレール１２４及び第２ガイドレール１３４と平行であり、第１ガイドレール１２４及び第２ガイドレール１３４に差し込まれることに寄与する。理解すべきなのは、本明細書の全文に記載の素子の「長さ方向」は、前記素子の最長辺に平行な方向である。
【００３２】
実施形態の一部において、図４に示すように、第１組立アーム１２０は、第１嵌め込みガイド構造１２５及び第２嵌め込みガイド構造１２６を有する。第１嵌め込みガイド構造１２５及び第２嵌め込みガイド構造１２６は、第１組立アーム１２０の先端、即ち、第１組立アーム１２０における支持体１１０から離れた端部に位置する。第２組立アーム１３０は、第３嵌め込みガイド構造１３５及び第４嵌め込みガイド構造１３６を有する。第３嵌め込みガイド構造１３５及び第４嵌め込みガイド構造１３６は、第２組立アーム１３０の先端、即ち、第３組立アーム１３０における支持体１１０から離れた端部に位置する。第１嵌め込みガイド構造１２５、第２嵌め込みガイド構造１２６、第３嵌め込みガイド構造１３５及び第４嵌め込みガイド構造１３６は、例えば、円弧リード角又は斜面リード角のようなリード角状である。このように、これらの嵌め込みガイド構造は、第１組立アーム１２０と第２組立アーム１３０が第１係合溝２３０及び第２係合溝３３０に滑り込むことに寄与することができる。
【００３３】
本実施形態において、図２に示すように、第１筐体２００は、第１挟み込み板２４０と、第２挟み込み板２５０と、を含んでよい。第１挟み込み板２４０は、第１内板２１０と第１外板２２０に接続される。第２挟み込み板２５０は、第１外板２２０に接続され、第１内板２１０と互いに仕切られている。第１挟み込み板２４０と第２挟み込み板２５０は、実質的に平行であり、第１挟み込み板２４０と第２挟み込み板２５０との間に第１挟み込み溝２６０を定義する。第１挟み込み溝２６０は、太陽エネルギーモジュール（不図示）の縁を挟み込むことに用いられることができる。類似的に、第２筐体３００は、第３挟み込み板３４０と、第４挟み込み板３５０と、を含んでよい。第３挟み込み板３４０は、第２内板３１０と第２外板３２０に接続される。第４挟み込み板３５０は、第２外板３２０に接続され、第２内板３１０と互いに仕切られている。第３挟み込み板３４０と第４挟み込み板３５０は、実質的に平行であり、第３挟み込み板３４０と第４挟み込み板３５０との間に第２挟み込み溝３６０を定義する。第２挟み込み溝３６０は、太陽エネルギーモジュールの別の縁を挟み込むことに用いられることができる。Ｌ型コーナーコネクター１００は、主体収納部１４０を含んでよい。主体収納部１４０は、支持体１１０に設けられる。主体収納部１４０は、太陽エネルギーモジュールのコーナーを挟み込むことに用いられることができる収納溝１４１を有する。第１筐体２００及び第２筐体３００の何れもＬ型コーナーコネクター１００に組み立てられる場合、第１挟み込み溝２６０、第２挟み込み溝３６０及び収納溝１４１は、互いにつながって、ともに太陽エネルギーモジュールを挟み込む。
【００３４】
本実施形態において、図４に示すように、主体収納部１４０は、外周コーナー１４２を有する。使用者が外周コーナー１４２に触る際に鋭い縁に傷め付けられないように、外周コーナー１４２は、弧状となっている。
【００３５】
第２実施形態
図６は、本発明の第２実施形態によるＬ型コーナーコネクター１００ａを示す断面図である。本実施形態は、第１実施形態とは、主に、第１組立アーム１２０ａ及び第２組立アーム１３０ａがそれぞれ第１リベット穴１２３ａ及び第２リベット穴１３３ａを有し、第１リベット穴１２３ａが第１内表面１２１及び第１外表面１２２を貫通し、第２リベット穴１３３ａが第２内表面１３１及び第２外表面１３２を貫通する点で異なる。つまり、第１リベット穴１２３ａ及び第２リベット穴１３３ａは、何れもスルーホール（ｔｈｒｏｕｇｈ  ｈｏｌｅ）であり、リベット作業に寄与する。
【００３６】
第３実施形態
図７は、本発明の第３実施形態によるＬ型コーナーコネクター１００ｂを示す斜視図である。本実施形態は、第１実施形態とは、主に、第１組立アーム１２０ｂが複数（例えば４つ）の第１リベット穴１２３ｂを有し、且つ第２組立アーム１３０ｂも複数（例えば４つ）の第２リベット穴１３３ｂを有する点で異なる。従って、本実施形態は、例えば複数（例えば４つ）の第１リベット４１０及び複数（例えば４つ）の第２リベット４２０を有し、リベッタ４００（図３を参照）とは異なる形式であるリベッタに適用されることができる。
【００３７】
また、本実施形態において、第１組立アーム１２０ｂは、４つの第１ガイドレール１２４ｂを有し、第２組立アーム１３０ｂは、４つの第２ガイドレール１３４ｂを有し、それらの数が第１実施形態の第１組立アーム１２０及び第２組立アーム１３０とは異なる。
【００３８】
第４実施形態
図８は、本発明の第４実施形態によるＬ型コーナーコネクター１００ｃを示す斜視図である。本実施形態は、第１実施形態とは、主に、Ｌ型コーナーコネクター１００ｃが複数の第１歯状構造１５０と、複数の第２歯状構造１６０と、を含んでよい点で異なる。第１歯状構造１５０は、第１組立アーム１２０ｃに位置し、且つ、第１組立アーム１２０ｃが第１係合溝２３０（図２を参照）に差し込まれる場合に、第１内板２１０（図２を参照）に当接して、第１筐体２００（図２を参照）の固定に寄与することに用いられる。類似的に、第２歯状構造１６０は、第２組立アーム１３０ｃに位置し、且つ、第２組立アーム１３０ｃが第２係合溝３３０（図２を参照）に差し込まれる場合に、第２内板３１０（図２を参照）に当接して、第２筐体３００（図２を参照）の固定に寄与することに用いられる。
【００３９】
本実施形態において、図８に示すように、各第１歯状構造１５０の長さ方向は、実質的に第１接続面１１１と平行であり、類似的に、各第２歯状構造１６０の長さ方向は、実質的に第２接続面１１２と平行である。
【００４０】
本実施形態において、図８に示すように、第１リベット穴１２３ｃは、複数の第１歯状構造１５０の間に設置され、類似的に、第２リベット穴１３３ｃは、複数の第２歯状構造１６０の間に設置される。
【００４１】
実施例
下記の表１は、Ｌ型コーナーコネクター１００ｃの異なる実施例で行われる引張力の実験データである。この実験の環境温度は、摂氏２５±３度であり、相対湿度は、５５±２０％である。表１において、最大引張力値は、Ｌ型コーナーコネクター１００ｃが第１筐体２００及び第２筐体３００にリベットされた場合に、第１筐体２００又は第２筐体３００をＬ型コーナーコネクター１００ｃに対して移動させることに必要な力を表す。
【００４２】
【表１】
2014236216.tif 000003
【００４３】
表１から分かるように、第１リベット穴１２３ｃの第１口径Ｄ１及び第２リベット穴１３３ｃの第２口径Ｄ２が大きければ大きいほど、最大引張力値は大きい。つまり、第１口径Ｄ１及び第２口径Ｄ２が大きければ大きいほど、第１筐体２００又は第２筐体３００をＬ型コーナーコネクター１００ｃに対して移動させにくい。従って、第１口径Ｄ１及び第２口径Ｄ２が大きければ大きいほど、Ｌ型コーナーコネクター１００ｃは、第１筐体２００又は第２筐体３００に安定して固定されることができる。
【００４４】
また、表１から分かるように、第１口径Ｄ１及び第２口径Ｄ２の口径が０であり、即ち第１組立アーム１２０ｃが第１リベット穴１２３ｃを有しなく、第２組立アーム１３０ｃも第２リベット穴１３３ｃを有しない場合、最大引張力値は、５０．８１ｋｇである。これに対して、第１口径Ｄ１及び第２口径Ｄ２の口径が１０ｍｍである場合、最大引張力値は、５０．８１ｋｇの約４．４倍である２２５ｋｇに達することができる。前記のことから、第１リベット穴１２３ｃ及び第２リベット穴１３３ｃは、確かに第１筐体２００及び第２筐体３００の固定に寄与することができることが明らかである。
【００４５】
本発明では、実施形態を前述の通りに開示したが、これは本発明を限定するものではなく、当業者なら誰でも、本発明の精神と領域から逸脱しない限り、多様の変更や修正を加えることができる。従って、本発明の保護範囲は、特許請求の範囲で指定した内容を基準とする。
【符号の説明】
【００４６】
１００、１００ａ、１００ｂ、１００ｃ  Ｌ型コーナーコネクター
１１０  支持体
１１１  第１接続面
１１２  第２接続面
１２０、１２０ａ、１２０ｂ、１２０ｃ  第１組立アーム
１２１  第１内表面
１２２  第１外表面
１２３、１２３ａ、１２３ｂ、１２３ｃ  第１リベット穴
１２４、１２４ｂ  第１ガイドレール
１２５  第１嵌め込みガイド構造
１２６  第２嵌め込みガイド構造
１３０、１３０ａ、１３０ｂ、１３０ｃ  第２組立アーム
１３１  第２内表面
１３２  第２外表面
１３３、１３３ａ、１３３ｂ、１３３ｃ  第２リベット穴
１３４、１３４ｂ  第２ガイドレール
１３５  第３嵌め込みガイド構造
１３６  第４嵌め込みガイド構造
１４０  主体収納部
１４１  収納溝
１４２  外周コーナー
１５０  第１歯状構造
１６０  第２歯状構造
２００  第１筐体
２１０  第１内板
２１１ａ、２１１ｂ  第１部分板体
２２０  第１外板
２３０  第１係合溝
２４０  第１挟み込み板
２５０  第２挟み込み板
２６０  第１挟み込み溝
２７０  第１強化リブ
３００  第２筐体
３１０  第２内板
３１１ａ、３１１ｂ  第２部分板体
３２０  第２外板
３３０  第２係合溝
３４０  第３挟み込み板
３５０  第４挟み込み板
３６０  第２挟み込み溝
３７０  第２強化リブ
４００  リベッタ
４１０  第１リベット
４２０  第２リベット
Ｄ１  第１口径
Ｄ２  第２口径
Ｔ１  第１穴深さ
Ｔ２  第２穴深さ
Ｎ１、Ｎ２  法線方向
Ｓ  空間
【図１】
2014236216.tif 000004
【図２】
2014236216.tif 000005
【図３】
2014236216.tif 000006
【図４】
2014236216.tif 000007
【図５】
2014236216.tif 000008
【図６】
2014236216.tif 000009
【図７】
2014236216.tif 000010
【図８】
2014236216.tif 000011